(57)【要約】【課題】スペクトル上で２つのピークを持つ光源を用いた照明装置によって被照明体を照明したときに、その被照明体において高い輝度及び広い色度域を得る。【解決手段】出射光がスペクトル上で２つのピークＷｂ，Ｗｙを持つ光源ユニットと、２つのピークＷｂ，Ｗｙの少なくとも一方の谷に相当する波長部分Ｗｃにピークを持つ単色光源とを有する照明装置である。Ｂ（青），Ｇ（緑），Ｒ（赤），Ｃ（シアン）の４色の着色膜を有するカラーフィルタに照明装置によって光を供給するとき、シアンの透過光の輝度を向上し、色の再現性を向上する。【選択図】図７
2007287385.tif 000002
【特許請求の範囲】
【請求項１】
出射光がスペクトル上で少なくとも２つのピークを持つ光源ユニットと、前記２つのピ
ークの少なくとも一方の谷に相当する波長部分にピークを持つ単色光源とを有することを
特徴とする照明装置。
【請求項２】
請求項１記載の照明装置において、前記単色光源は、前記光源ユニットの中に含まれる
ことを特徴とする照明装置。
【請求項３】
請求項１記載の照明装置において、前記単色光源は、前記光源ユニットと別体であるこ
とを特徴とする照明装置。
【請求項４】
請求項１から請求項３のいずれか１つに記載の照明装置において、前記光源ユニットは
、
第１の発光ダイオードと、
該第１の発光ダイオードの出射光を吸収して当該出射光の補色となる出射光を発光する
蛍光体と、
を有することを特徴とする照明装置。
【請求項５】
請求項４において、前記単色光源は第２の発光ダイオードであることを特徴とする照明
装置。
【請求項６】
請求項１から請求項５のいずれか１つに記載の照明装置において、前記光源ユニットは
白色光を出射することを特徴とする照明装置。
【請求項７】
請求項４から請求項６のいずれか１つに記載の照明装置において、
前記第１の発光ダイオードは青色光を出射する発光ダイオードであり、
前記蛍光体はＹＡＧ（イットリウム・アルミニウム・ガーネット）系の蛍光体であり、
前記単色光源はシアン（青緑）色光を出射する光源である
ことを特徴とする照明装置。
【請求項８】
請求項４から請求項６のいずれか１つに記載の照明装置において、
前記第１の発光ダイオードは青色光を出射する発光ダイオードであり、
前記蛍光体はＹＡＧ系の蛍光体であり、
前記単色光源は緑色光を出射する光源である
ことを特徴とする照明装置。
【請求項９】
請求項４から請求項６のいずれか１つに記載の照明装置において、
前記第１の発光ダイオードは青色光を出射する発光ダイオードであり、
前記蛍光体はＹＡＧ系の蛍光体であり、
前記単色光源は赤色光を出射する光源である
ことを特徴とする照明装置。
【請求項１０】
請求項１から請求項９のいずれか１つに記載の照明装置において、
前記光源ユニット及び前記単色光源はそれぞれ複数個が平面的に並べられ、
前記複数の単色光源は隣り同士には並ばない
ことを特徴とする照明装置。
【請求項１１】
請求項１から請求項１０のいずれか１つに記載の照明装置であって、該照明装置によっ
て照明される被照明体は複数色の着色膜を有するカラーフィルタである照明装置において
、
前記単色光源の出射光の波長は前記カラーフィルタのスペクトルに含まれるピークの波
長とほぼ一致する
ことを特徴とする照明装置。
【請求項１２】
液晶パネルと、該液晶パネルを照明する照明装置とを有する液晶装置において、前記照
明装置は請求項１から請求項１０のいずれか１つに記載の照明装置であることを特徴とす
る液晶装置。
【請求項１３】
請求項１２記載の液晶装置において、複数色の着色膜を有するカラーフィルタをさらに
有し、前記単色光源の出射光の波長は前記カラーフィルタのスペクトルに含まれるピーク
の波長とほぼ一致することを特徴とする液晶装置。
【請求項１４】
請求項１２又は請求項１３記載の液晶装置を有することを特徴とする電子機器。
【発明の詳細な説明】
【技術分野】
【０００１】
本発明は、光を出射する照明装置、その照明装置を用いた液晶装置、及びその液晶装置
を用いた電子機器に関する。
【背景技術】
【０００２】
現在、携帯電話機、携帯情報端末機、液晶テレビ等といった電子機器に液晶装置が広く
用いられている。例えば、各種の情報を画像として表示するために液晶装置が用いられて
いる。液晶装置は、液晶層を通過する光を変調することにより画像を表示する電気光学装
置である。液晶層に光を供給するために、液晶装置に照明装置が付設されることがある。
【０００３】
照明装置として、従来、発光ダイオードの光出射範囲を重ねることにより２種類の発光
を合成して白色光に調光する照明装置が知られている（例えば、特許文献１参照）。また
、導光板に蛍光体を塗布することにより出射光の強度ムラを低減した照明装置が知られて
いる（例えば、特許文献２参照）。
【０００４】
【特許文献１】特開２００２−２７００２０号公報（第４頁、図１）
【特許文献２】特開２００２−２８７１４１号公報（第７頁、図６）
【発明の開示】
【発明が解決しようとする課題】
【０００５】
特許文献１及び特許文献２に開示された照明装置では、光源として白色光源が用いられ
ている。この白色光源は、青色発光ダイオードとＹＡＧ蛍光体との組合せによって白色光
を得るものである。この白色光源は、スペクトル上で青色とＹＡＧ蛍光色との２つの波長
部分にピークを有する光分布特性を有している。この光分布特性が被照明体、例えばカラ
ーフィルタの分光分布特性に一致していれば、被照明体を透過した後の光に関して、高い
輝度及び広い色度域を得ることができる。しかしながら、白色光源の光分布特性と被照明
体の分光分布特性が一致していないと、高い輝度及び広い色度域を得ることができないと
いう問題がある。
【０００６】
本発明は、上記の問題点に鑑みて成されたものであって、スペクトル上で２つの波長部
分にピークがある光分布特性を有する光源を用いた照明装置によって被照明体を照明した
ときに、その被照明体において高い輝度及び広い色度域を得ることができるようにするこ
とを目的とする。
【課題を解決するための手段】
【０００７】
本発明に係る照明装置は、出射光がスペクトル上で少なくとも２つのピークを持つ光源
ユニットと、前記２つのピークの少なくとも一方の谷に相当する波長部分にピークを持つ
単色光源とを有することを特徴とする。光源ユニットとは、１つのまとまった光源という
ことであり、その中に１つ又は複数の発光素子が含まれるユニットのことである。この光
源ユニットとしては、１つの発光素子の光出射領域内に蛍光体を設けた構成から成る光源
ユニットや、複数の発光素子を一体に有する光源ユニット等が考えられる。発光素子は任
意の構成の発光素子を適用でき、例えば、発光ダイオード、冷陰極管、有機ＥＬ（Electr
o-luminescence）等を用いることができる。上記の単色光源も、任意の構成の発光素子に
よって構成でき、例えば、発光ダイオード、冷陰極管、有機ＥＬ（Electro-luminescence
）を用い構成できる。
【０００８】
上記構成の本発明に係る照明装置によれば、２つのピークを持つ光源ユニットに加えて
、当該２つのピークの少なくとも一方の谷に相当する波長部分にピークを持つ単色光源を
有するので、光源ユニットの出射光のスペクトルにおいて欠けている波長部分を単色光源
の出射光によって補償できる。この結果、照明装置として広い色度域を得ることができる
。さらに、被照明体として複数の着色領域を有するカラーフィルタを考えたとき、より高
い輝度（すなわち、より高い透過率）を得ることができ、さらに、カラーフィルタの出射
光として広い色度域を得ることができる。
【０００９】
次に、本発明に係る照明装置において、前記単色光源は、前記光源ユニットの中に含ま
れるものであっても良いし、あるいは、前記光源ユニットと別体であっても良い。単色光
源を光源ユニットの中に含めることにすれば、すなわち、光源ユニット内の発光素子と単
色光源とを一体に形成すれば、発光素子の出射光と単色光源の出射光との混光を促進でき
る。
【００１０】
次に、本発明に係る照明装置において、光源ユニットは、例えば、第１の発光ダイオー
ドと、該第１の発光ダイオードの出射光を吸収して当該出射光の補色となる出射光を発光
する蛍光体とを有する構成とすることができる。この光源ユニットによれば、光源ユニッ
トから白色光を出射できる。第１の発光ダイオードは、例えば青色光を出射する発光ダイ
オードとすることができる。蛍光体としては、例えば、ＹＡＧ蛍光体を適用できる。
【００１１】
次に、本発明に係る照明装置において、上記光源ユニット内の発光素子及び上記単色光
源は、いずれも、発光ダイオードによって構成されることが望ましい。発光ダイオードは
、それへの通電を制御することによって容易に輝度を制御できる。従って、光源ユニット
内の発光素子及び単色光源の両方を発光ダイオードによって構成すれば、照明装置から出
る光の色度及び輝度を容易に所望の状態に設定できる。
【００１２】
次に、本発明に係る照明装置において、前記第１の発光ダイオードは青色光を出射する
発光ダイオードであり、前記蛍光体はＹＡＧ（イットリウム・アルミニウム・ガーネット
）系の蛍光体であり、前記単色光源はシアン色光を出射する光源であることが望ましい。
【００１３】
この構成によれば、第１の発光ダイオードとＹＡＧ蛍光体とによって白色光（特に、青
の波長部分及びＹＡＧ蛍光の波長部分にピークを有する白色光）を得ることができ、さら
に、単色光源によってシアンの波長部分にピークを付与できる。この構成によれば、照明
装置におけるシアン色の輝度が上がるため、被照明体として、Ｂ（青）、Ｇ（緑）、Ｒ（
赤）、Ｃ（シアン）の４色の着色領域を有するカラーフィルタを用いる場合に、カラーフ
ィルタの全体としての光透過率を上げることができる。また、カラーフィルタを透過した
光の色の色純度が上がり、その結果、カラーフィルタの透過光の色度域を上げることがで
きる。
【００１４】
次に、本発明に係る照明装置において、前記第１の発光ダイオードは青色光を出射する
発光ダイオードであり、前記蛍光体はＹＡＧ系の蛍光体であり、前記単色光源は緑色光を
出射する光源であることが望ましい。
【００１５】
この構成によれば、第１の発光ダイオードとＹＡＧ蛍光体とによって白色光（特に、青
の波長部分及びＹＡＧ蛍光の波長部分にピークを有する白色光）を得ることができ、さら
に、単色光源によって緑の波長部分のピークを高めることができる。青色発光ダイオード
とＹＡＧ蛍光体を用いた白色光源では、緑の波長部分の光強度が比較的低い傾向にある。
従って、単色光源によって緑色光を付加することにした本発明態様によれば、照明光及び
Ｂ、Ｇ、Ｒのカラーフィルタを透過した透過光において緑の波長部分を補償できる。
【００１６】
次に、本発明に係る照明装置において、前記第１の発光ダイオードは青色光を出射する
発光ダイオードであり、前記蛍光体はＹＡＧ系の蛍光体であり、前記単色光源は赤色光を
出射する光源であることが望ましい。
【００１７】
この構成によれば、第１の発光ダイオードとＹＡＧ蛍光体とによって白色光（特に、青
の波長部分及びＹＡＧ蛍光の波長部分にピークを有する白色光）を得ることができ、さら
に、単色光源によって赤の波長部分にピークを付与できる。一般に、青色発光ダイオード
とＹＡＧ蛍光体を用いた白色光源では、赤の波長部分にピークが無いため、被照明体とし
てＢ，Ｇ，Ｒのカラーフィルタを用いた場合、カラーフィルタを透過した透過光において
赤が不鮮明になるおそれがある。これに対し、照明装置において赤の波長部分を補償した
本発明態様によれば、カラーフィルタの全体としての光透過率を上げることができる。ま
た、カラーフィルタを透過した光の色の色純度が上がり、その結果、カラーフィルタの透
過光の色度域を上げることができる。
【００１８】
次に、本発明に係る照明装置はサイドライト方式であっても良いし、平面ライト方式で
あっても良い。サイドライト方式というのは、前記光源ユニット及び前記単色光源のそれ
ぞれの複数個を、導光体の側面である光入射面に対向して直線的に配列させる方式である
。一方、平面ライト方式というのは、直下型方式とも呼ばれることがある方式であって、
液晶パネル等といった平面的な被照明体に対向して前記光源ユニット及び前記単色光源の
それぞれの複数個を平面的に配列させる方式である。本発明に係る照明装置を平面ライト
方式として用いる場合には、前記複数の単色光源は隣り同士には並ばないように配列する
ことが望ましい。この構成によれば、複数の単色光源が互いに隣り同士に並ぶ場合に比べ
て、光源ユニットから出射される光（例えば、白色光）と単色光源から出射される光（例
えば、シアン、緑、赤等といった単色光）との混光をより一層促進できる。
【００１９】
次に、本発明に係る照明装置に関しては、カラーフィルタを被照明体とすることができ
る。カラーフィルタは、透過し得る光の波長領域が異なる複数の着色領域を有する光学要
素である。カラーフィルタを被照明体とする場合には、前記単色光源の出射光の波長は前
記カラーフィルタのスペクトルのいずれかのピークの波長とほぼ一致することが望ましい
。この構成によれば、カラーフィルタを透過した透過光の色純度を上げることができ、色
度域を広げることができ、透過率を向上できる。
【００２０】
次に、本発明に係る液晶装置は、液晶パネルを照明する照明装置を有する液晶装置にお
いて、前記照明装置は以上に記載された各種の構成の照明装置であることを特徴とする。
液晶装置は、一般に、液晶層及び当該液晶層を挟持する一対の電極を有し、一対の電極に
印加される電圧を画素ごとに制御することにより、液晶層へ供給される光を画素ごとに変
調して、表示を行う電気光学装置である。
【００２１】
本発明に係る照明装置によれば、光源ユニットの出射光のスペクトルにおいて欠けてい
る波長部分を単色光源の出射光によって補償できるので、照明装置として広い色度域を得
ることができる。従って、この照明装置を用いて構成された液晶装置は、広い色度域を持
った表示を行うことができる。
【００２２】
次に、本発明に係る液晶装置は、透過し得る光の波長領域が異なる複数の着色領域を備
えたカラーフィルタを有することができる。そしてこの場合には、前記単色光源の出射光
の波長は前記カラーフィルタのスペクトルのピークの波長とほぼ一致することが望ましい
。この構成によれば、カラーフィルタを透過した透過光の色純度を上げることができ、色
度域を広げることができ、透過率を向上できる。
【００２３】
次に、本発明に係る電子機器は本発明に係る上記の液晶装置を有することを特徴とする
。この電子機器としては、例えば、携帯電話機、携帯情報端末機、液晶テレビ等が考えら
れる。本発明に係る液晶装置によれば、広い色度域を持った表示を行うことができるので
、その液晶装置を用いた本発明に係る電子機器においても、広い色度域を持った表示を行
うことができる。
【発明を実施するための最良の形態】
【００２４】
（照明装置及び液晶装置の第１実施形態）
以下、本発明に係る照明装置及び液晶装置を実施形態に基づいて説明する。なお、本発
明がこの実施形態に限定されないことはもちろんである。また、これからの説明では必要
に応じて図面を参照するが、この図面では、複数の構成要素から成る構造のうち重要な構
成要素を分かり易く示すため、各要素を実際とは異なった相対的な寸法で示す場合がある
。
【００２５】
図１は、本発明に係る液晶装置の平面構造を示している。図１では表示の単位領域であ
るサブ画素Ｄを模式的に拡大して示している。互いに隣接する４つのサブ画素Ｄによって
１つの表示画素Ｇが形成されている。図２は液晶装置を構成する液晶パネル及び照明装置
の断面構造を示しており、液晶パネルは図１のＺ１−Ｚ１線に従った断面構造を示し、照
明装置は図１のＺ２−Ｚ２線に従った断面構造を示している。
【００２６】
図２において、液晶装置１は、液晶パネル２と、この液晶パネル２に付設された照明装
置３とを有する。液晶パネル２は、素子基板４と、カラーフィルタ基板５とを有する。素
子基板４とカラーフィルタ基板５は、矢印Ａ方向から見て環状のシール材７によって間隙
を空けて貼り合わされている。この間隙が、いわゆるセルギャップである。セルギャップ
は、素子基板４とカラーフィルタ基板５との間に設けられた多数のスペーサ（図示せず）
によって保持される。このセルギャップ内に液晶が封止されて液晶層８が形成されている
。液晶としては、例えば、ＴＮ（Twisted Nematic）液晶が用いられる。
【００２７】
図１において、素子基板４は紙面奥側に設けられており、カラーフィルタ基板５は紙面
手前側に設けられている。液晶パネル２の内部に設けられる電極や配線は、本来、カラー
フィルタ基板５の存在によって外部から見えない要素であるが、図１では便宜的に電極、
配線等を実線で示している。
【００２８】
図２において素子基板４は、透光性のガラス、透光性のプラスチック等によって形成さ
れた透光性基板４ａを有し、その透光性基板４ａの外側表面に第１偏光板９ａが貼着され
ている。透光性基板４ａの内側表面には、図１に示すように、複数のソース線１１、複数
のゲート線１２、複数のスイッチング素子としてのＴＦＴ（Thin Film Transistor）素子
１３、及び複数の画素電極１４が設けられている。ソース線１１及びゲート線１２はＴＦ
Ｔ素子１３を構成する導電材料と同じ材料によって形成されている。また、画素電極１４
は、ＩＴＯ（Indium Tin Oxide）等といった透明導電材料によって形成されている。
【００２９】
素子基板４は、カラーフィルタ基板５の一辺から外側へ張り出す張出し部１５を有し、
この張出し部１５の辺端に外部接続用端子１６が設けられている。また、張出し部１５の
表面に駆動用ＩＣ１７が周知のＣＯＧ（Chip On Glass）技術を用いて実装されている。
駆動用ＩＣ１７の入力側の端子（図示せず）は外部接続用端子１６の一端に電気的に接続
されている。張出し部１５の辺端にはＦＰＣ（Flexible Printed Circuit）基板１８が実
装されており、外部接続用端子１６の他端がこのＦＰＣ基板１８内の配線と電気的に接続
されている。ＦＰＣ基板１８は、例えば、携帯電話機等といった電子機器内の制御回路に
接続される。
【００３０】
複数のソース線１１は、列方向Ｙに延在し且つ行方向Ｘに適宜の間隔で並べて設けられ
ている。各ソース線１１の張出し部１５側の一端は駆動用ＩＣ１７の出力側の端子（図示
せず）に電気的に接続されている。複数のゲート線１２は、行方向Ｘに延在し且つ列方向
Ｙに適宜の間隔で並べて設けられている。各ゲート線１２から延びる引回し配線１２ａの
張出し部１５側の一端は駆動用ＩＣ１７の出力側の端子（図示せず）に電気的に接続され
ている。
【００３１】
複数のＴＦＴ素子１３は、それぞれ、ソース線１１とゲート線１２とが交差する部分の
近傍に設けられている。３端子型のスイッチング素子であるＴＦＴ素子１３の各端子は、
それぞれ、ソース線１１、ゲート線１２、そして画素電極１４に電気的に接続される。各
ＴＦＴ素子１３及び各画素電極１４は、各サブ画素Ｄに対応する領域内に設けられている
。
【００３２】
１つの表示画素Ｇが行方向Ｘ及び列方向Ｙに複数個、マトリクス状に並べられて成る鎖
線で囲まれた領域が表示領域Ｖであり、この表示領域Ｖ内に文字、数字、図形等といった
画像が表示される。なお、液晶パネル２の平面領域内であって表示領域Ｖの外側の枠状の
領域は表示に寄与しない領域、いわゆる額縁領域Ｆである。
【００３３】
素子基板４上に形成されるソース線１１、ゲート線１２、及びそれらから延びる配線は
、図２においては図示を省略してある。また、素子基板４の構成要素である透光性基板４
ａの内部表面には、ＴＦＴ素子１３、画素電極１４以外に、ＴＦＴ素子１３と画素電極１
４とを電気的に絶縁する層間絶縁膜や、配向膜等が設けられるが、図２ではそれらの図示
を省略してある。
【００３４】
次に、図２において、カラーフィルタ基板５は、透光性のガラス、透光性のプラスチッ
ク等によって形成された透光性基板５ａを有し、その透光性基板５ａの外側表面に第２偏
光板９ｂが貼着されている。この第２偏光板９ｂの偏光透過軸と素子基板４側の第１偏光
板９ａの偏光透過軸は、液晶駆動モードの種類に対応した適宜の相対的な角度に設定され
ている。
【００３５】
透光性基板５ａの内部表面には、遮光膜１９が矢印Ａ方向から見て行方向Ｘ及び列方向
Ｙのそれぞれにストライプ状、すなわち格子状に設けられている。この遮光膜１９は、サ
ブ画素Ｄを区画する位置に形成されている。そして、遮光膜１９に囲まれる個々の領域内
にＢ（青）、Ｇ（緑）、Ｒ（赤）、Ｃ（シアン）の４色の着色膜２１が１つずつ設けられ
、それらの上にオーバーコート膜２２が設けられ、さらにその上に共通電極２３が設けら
れている。着色膜２１に関しては、青、緑、赤、シアンの色を区別して表記したい場合に
は、それぞれ、２１Ｂ、２１Ｇ、２１Ｒ、２１Ｃのように表記することにし、色を区別す
ることなく単に着色膜であることを表記したい場合には着色膜２１のように表記すること
にする。
【００３６】
Ｂ，Ｇ，Ｒ，Ｃの各色の着色膜２１は、特定波長の光を選択的に透過させてカラー表示
を実現するためのカラーフィルタとして機能する。共通電極２３は、素子基板４側の画素
電極１４と同じくＩＴＯ等といった透明導電材によって形成され、カラーフィルタ基板５
のほぼ全面にわたって設けられている。この共通電極２３は、図１において、シール材７
の隅の領域Ｃにおいて配線２４の一端と電気的に接続されている。この配線２４の他端は
駆動用ＩＣ１７のＣＯＭに対応する出力端子と電気的に接続されている。
【００３７】
図２に示す青色着色膜２１Ｂ、緑色着色膜２１Ｇ、赤色着色膜２１Ｒ、シアン色着色膜
２１Ｃから成るカラーフィルタの分光分布特性は、図３に示す通りである。通常広く用い
られているＢ（青），Ｇ（緑），Ｒ（赤）の３色から成るカラーフィルタの場合には、そ
れぞれの色の波長部分Ｗｂ，Ｗｇ，Ｗｒにピークを有するが、Ｂ，Ｇ，Ｒ，Ｃの４色を用
いる本実施形態の場合は、それらに加えてＣ（シアン）の波長部分Ｗｃにもピークを有し
ており、それ故、カラー表示における色度域を広げることができる。
【００３８】
次に、図２において、照明装置３は、導光体２６と光源部２７Ａとを有する。光源部２
７Ａは、図４に示すように、可撓性を有するフレキシブル基板２８と、その基板２８上に
設けられた複数の光源ユニット２９Ａとを有する。フレキシブル基板２８は、図２の導光
体２６の側面とほぼ同じか、それよりも少し長い長さを有している。図４の光源ユニット
２９Ａは、図５に示すように、絶縁基板３１と、その絶縁基板３１上に設けられた発光素
子としての青色ＬＥＤ３２Ｂと、青色ＬＥＤ３２Ｂの周囲に設けられた枠状の絶縁体３９
と、その絶縁体３９によって囲まれる空間内に充填された透明樹脂４１とを有する。透明
樹脂４１の内部には、ＹＡＧ系（イットリウム・アルミニウム・ガーネット）蛍光体４２
が分散状態で含まれている。
【００３９】
絶縁基板３１上であって青色ＬＥＤ３２Ｂの隣り（図５の奥側の隣り）には、単色光源
としてのシアン色ＬＥＤ３２Ｃが設けられている。本実施形態では、シアン色ＬＥＤ３２
ｃを光源ユニット２９Ａの内部に追加して設けたが、シアン色ＬＥＤ３２ｃは、青色ＬＥ
Ｄ３２ＢとＹＡＧ蛍光体４２とによって構成される白色光源ユニット２９Ａの外部に別体
に設けても良い。
【００４０】
絶縁基板３１には、青色ＬＥＤ３２Ｂ及びシアン色ＬＥＤ３２Ｃのそれぞれに対応して
電極３３及び電極３４が設けられている。これらの電極３３，３４の外部端子は図４のフ
レキシブル基板２８上に形成された配線（図示せず）に接続されている。一方、電極３３
，３４の内部端子は各ＬＥＤ３２Ｂ，３２Ｃに接続されている。例えば、ＬＥＤ３２Ｂ，
３２Ｃのアノード３６がワイヤ３７ａを介して電極３３に接続され、カソード３８がワイ
ヤ３７ｂを介して電極３４に接続されている。
【００４１】
青色ＬＥＤ３２Ｂが発光すると、青色光の一部はそのまま外部へ出射し、他の一部はＹ
ＡＧ系蛍光体４２に吸収されて青色光の補色である黄色光となって外部へ出射する。そし
て、これらの青色光と黄色光とが混光することによって白色光が出射光として得られる。
この場合の白色光は、図６に示すスペクトルのように、青の波長部分ＷｂとＹＡＧ蛍光の
波長部分Ｗｙにピークを有する白色光である。
【００４２】
図５において、シアン色ＬＥＤ３２Ｃが発光すると、そのシアン色光は透明樹脂４１を
透過して外部へ出射する。また、青色ＬＥＤ３２Ｂとシアン色ＬＥＤ３２Ｃの両方が発光
すると、図７に示すスペクトルのように、青の波長部分ＷｂとＹＡＧ蛍光の波長部分Ｗｙ
にピークを有することに加えて、シアン色ＬＥＤ３２Ｃに起因するシアンの波長部分Ｗｃ
にピークを有する白色光が得られる。なお、シアン色ＬＥＤ３２Ｃに起因するシアンの波
長部分Ｗｃは、図３に示したカラーフィルタの分光分布特性におけるシアンの波長部分Ｗ
ｃとほぼ一致している。
【００４３】
図５において青色ＬＥＤ３２ＢとＹＡＧ蛍光体４２とを用いた白色光源の中にシアン色
ＬＥＤ３２Ｃを組み込んだ構成の光源ユニット２９Ａに関して、その色度再現性について
考えれば、この光源ユニット２９Ａは図８に示すように、青色（色度座標Ａ）と蛍光体の
黄色（色度座標Ｂ）に加えてシアン色（色度座標Ｄ）を加えた白色（色度座標Ｃ）を発光
する。この光源ユニット２９Ａは、座標点（Ａ）、（Ｂ）、（Ｄ）を結んだ三角形の範囲
内で色度を調節することができる。
【００４４】
図５の青色ＬＥＤ３２Ｂ及びシアン色ＬＥＤ３２Ｃは、例えば、図９に示す駆動回路４
４によって駆動される。この駆動回路４４は、電力を供給するＬＥＤ駆動電源部４５と、
ドライバとしてのＬＥＤ駆動部４６と、青色ＬＥＤ駆動回路４７と、シアン色ＬＥＤ駆動
回路４８とを有する。青色ＬＥＤ駆動回路４７は、図４のフレキシブル基板２８上に設け
られた複数の光源ユニット２９Ａ内の各青色ＬＥＤ３２Ｂと直列に接続されている。また
、図９のシアン色ＬＥＤ駆動回路４８は、図４のフレキシブル基板２８上に設けられた複
数の光源ユニット２９Ａ内の各シアン色ＬＥＤ３２Ｃと直列に接続されている。
【００４５】
青色ＬＥＤ駆動回路４７及びシアン色ＬＥＤ駆動回路４８は、例えば、図１０に示すよ
うに、パルス電圧発生回路４９と、その回路４９に直列に接続された電流制限抵抗Ｒ０と
を有する。電流制限抵抗Ｒ０の大きさは、青色ＬＥＤ３２Ｂ及びシアン色ＬＥＤ３２Ｃに
流すことのできる電流の許容値によって決められる。パルス電圧発生回路４９は、図９の
ＬＥＤ駆動部４６からの指令に従って青色ＬＥＤ３２Ｂ及びシアン色ＬＥＤ３２Ｃに所定
のパルス電流を供給する。また、パルス電圧発生回路４９は、ＬＥＤ駆動部４６からの指
令に従って各ＬＥＤ３２Ｂ，３２Ｃへ供給するパルス電流の幅及びタイミングを制御する
。図９の回路図から分かるように、駆動回路４４は、青色及びシアン色の色ごとにＬＥＤ
への電流を制御する。
【００４６】
青色ＬＥＤ駆動回路４７によって青色ＬＥＤ３２Ｂへ図１１（ａ）に示すようなパルス
電流を供給すれば、青色ＬＥＤ３２Ｂが発光して図６に示す波長分布を有する白色光が出
射光として得られる。一方、図９に示す青色ＬＥＤ駆動回路４７及びシアン色ＬＥＤ駆動
回路４８によって青色ＬＥＤ３２Ｂ及びシアン色ＬＥＤ３２Ｃの両方へ図１１（ｂ）に示
すように同じタイミングでパルス電流を供給すれば、青色ＬＥＤ３２Ｂ及びシアン色ＬＥ
Ｄ３２Ｃの両方が同時に発光して図７に示す波長分布を有する白色光が出射光として得ら
れる。
【００４７】
以下、上記構成より成る照明装置及び液晶装置の動作について説明する。
図９において青色ＬＥＤ駆動回路４７及びシアン色ＬＥＤ駆動回路４８が作動して青色
ＬＥＤ３２Ｂ及びシアン色ＬＥＤ３２Ｃに図１１（ｂ）に示すパルス電流が供給される。
これにより、画像表示処理における１フレーム期間内の所定のパルス幅において青色ＬＥ
Ｄ３２Ｂとシアン色ＬＥＤ３２Ｃの両方が所定の期間内で同時に発光する。
【００４８】
このとき、図８の点（Ａ）、（Ｂ）、（Ｄ）で規定される色度域内の白色光であって、
図７に示す波長分布を有する白色光が図４及び図２の光源部２７Ａから発せられ、導光体
２６の光入射側面２６ａから導光体２６内へ導入される。導入された光は、導光体２６の
光反射面２６ｂ、光出射面２６ｃ、及び光入射面２６ａと反対の端面で反射を繰り返し、
光出射面２６ｃにおいて臨界角を越えたときに、その光出射面２６ｃから外部へ出射する
。この出射光は光出射面２６ｃから面状の光となって液晶パネル２へ供給される。
【００４９】
液晶パネル２においては、図２において、画素電極１４と共通電極３との間にサブ画素
Ｄごとに画像信号に対応した電圧が印加され、液晶層８内の液晶分子の配向がサブ画素Ｄ
ごとに制御される。このため、液晶パネル２へ供給された照明装置３からの光が液晶層８
においてサブ画素Ｄごとに変調される。この変調された光がカラーフィルタ基板５側の偏
光板９ｂおいて通過を規制されることにより、表示領域Ｖ内に画像が表示される。
【００５０】
本実施形態の液晶パネル２では、Ｂ，Ｇ，Ｒ，Ｃの４色のサブ画素Ｄによって１つの表
示画素Ｇが形成されるので、Ｂ，Ｇ，Ｒの３色だけによる表示の場合に比べて、Ｃを加え
た分だけ表示の色度域を広げることができ、表示の色再現性を高めることができる。この
場合、本実施形態では図３に示すようにカラーフィルタのスペクトルにおいて、青色の波
長部分Ｗｂの谷の部分であって且つ緑色の波長部分Ｗｇの谷の部分でもある波長部分の所
にシアンＷｃのピークが存在する。
【００５１】
仮に、図４に示す光源部２７Ａの光源ユニット２９Ａを、シアン色ＬＥＤ３２Ｃを用い
ることなく、青色ＬＥＤ３２ＢとＹＡＧ蛍光体４２とから成る白色光源だけによって構成
すれば、図３のシアン部分Ｗｃに対して十分な光を供給することができず、液晶装置の表
示としてシアン色が暗くなるという問題が発生する。これに対し、図４に示すように、青
色ＬＥＤ３２ＢとＹＡＧ蛍光体４２とから成る光源にシアン色ＬＥＤ３２Ｃを加えた本実
施形態の光源ユニット２９Ａを用いた場合には、シアン色の輝度を向上でき、色の再現性
を改善できる。
【００５２】
本実施形態では、図４において、シアン色ＬＥＤ３２ｃを光源ユニット２９Ａの内部に
追加したが、シアン色ＬＥＤ３２ｃは、青色ＬＥＤ３２ＢとＹＡＧ蛍光体４２とによって
構成される白色光源ユニット２９Ａの外部に別体に設けても良い。しかしがながら、シア
ン色ＬＥＤ３２ｃを青色ＬＥＤ３２Ｂと共に光源ユニット２９Ａの内部に一体に設けるこ
とにすれば、各ＬＥＤからの発光の混光を促進する上で好ましい。
【００５３】
（変形例）
上記の実施形態では、図１の４つのサブ画素Ｄに対応してＢ（青），Ｇ（緑），Ｒ（赤
），Ｃ（シアン）の４色の各色の着色膜（すなわち、着色領域）２１を対応させた。しか
しながら、着色膜２１の色の組合せは以下の通り種々に改変できる。なお、単色光源とし
て白色光源に付加する光源の光の波長は、それら４色のうちの１色の波長と一致させるこ
とが望ましい。
【００５４】
４色の着色領域は、波長に応じて色相が変化する可視光領域（３８０から７８０ｎｍ）
のうち、青系の色相の着色領域と、赤系の色相の着色領域と、青から黄までの色相の中で
選択された２種の色相の着色領域から成る。ここで、系の文言を用いているが、例えば青
系であれば純粋の青の色相に限定されるものでなく、青紫や青緑等を含むものである。赤
系の色相であれば、赤に限定されるものでなく橙を含むものである。また、これらの着色
領域は単一の着色膜で構成しても良いし、複数の異なる色相の着色膜を重ねて構成しても
良い。また、これらの着色領域は色相で述べているが、当該色相は、彩度、明度を適宜に
変更し、色を設定し得るものである。
【００５５】
具体的な色相の範囲は、（１）青系の色相の着色領域は、青紫から青緑であり、より好
ましくは藍から青である。（２）赤系の色相の着色領域は、橙から赤である。（３）青か
ら黄までの色相で選択される一方の着色領域は、青から緑であり、より好ましくは青緑か
ら緑である。（４）青から黄までの色相で選択される他方の着色領域は、緑から橙であり
、より好ましくは緑から黄である。若しくは緑から黄緑である。
ここで、各着色領域は、同じ色相を用いることはない。例えば、青から黄までの色相で
選択される２つの着色領域で緑系の色相を用いる場合は、他方は一方の緑に対して青系若
しくは黄緑系の色相を用いる。以上により、従来のＢ，Ｇ，Ｒ３色の着色領域を用いる場
合よりも広範囲の色再現性を実現できる。
【００５６】
他の具体的な例として、着色領域を、透過する波長で規定することができる。例えば、
（１）青系の着色領域は、該領域を透過した光の波長のピークが４１５〜５００ｎｍにあ
る着色領域、好ましくは、４３５〜４８５ｎｍにある着色領域である。（２）赤系の着色
領域は、該領域を透過した光の波長のピークが６００ｎｍ以上にある着色領域で、好まし
くは、６０５ｎｍ以上にある着色領域である。（３）青から黄までの色相で選択される一
方の着色領域は、該領域を透過した光の波長のピークが４８５〜５３５ｎｍにある着色領
域で、好ましくは、４９５〜５２０ｎｍにある着色領域である。（４）青から黄までの色
相で選択される他方の着色領域は、該領域を透過した光の波長のピークが５００〜５９０
ｎｍにある着色領域、好ましくは５１０〜５８５ｎｍにある着色領域、若しくは５３０〜
５６５ｎｍにある着色領域である。
以上の波長は、透過表示の場合は、照明装置からの照明光がカラーフィルタを通して得
られた数値である。また、反射表示の場合は、外光を反射して得られた数値である。
【００５７】
他の具体的な例として、着色領域を、ｘ，ｙ色度図で規定することができる。例えば、
（１）青系の着色領域は、ｘ≦０．１５１、ｙ≦０．２００にある着色領域であり、好ま
しくは、０．１３４≦ｘ≦０．１５１、０．０３４≦ｙ≦０．２００にある着色領域であ
る。（２）赤系の着色領域は、０．５２０≦ｘ、ｙ≦０．３６０にある着色領域であり、
好ましくは、０．５５０≦ｘ≦０．６９０、０．２１０≦ｙ≦０．３６０にある着色領域
である。（３）青から黄までの色相で選択される一方の着色領域は、ｘ≦０．２００、０
．２１０≦ｙにある着色領域であり、好ましくは、０．０８０≦ｘ≦０．２００、０．２
１０≦ｙ≦０．７５９にある着色領域である。（４）青から黄までの色相で選択される他
方の着色領域は、０．２５７≦ｘ、０．４５０≦ｙにある着色領域であり、好ましくは０
．２５７≦ｘ≦０．５２０、０．４５０≦ｙ≦０．７２０にある着色領域である。このｘ
，ｙ色度図は、透過表示の場合は、照明装置からの照明光がカラーフィルタを通して得ら
れた数値である。また、反射表示の場合は、外光を反射して得られた数値である。
【００５８】
図１に示した液晶装置１において、個々のサブ画素Ｄはその全域が光透過領域であって
も良いし、個々のサブ画素Ｄの中に光透過領域と光反射領域の両方が存在するものであっ
ても良い。個々のサブ画素Ｄの全域が光透過領域である場合の液晶装置は、透過型の液晶
装置である。個々のサブ画素Ｄの中に光透過領域と光反射領域の両方が存在する場合の液
晶装置は、半透過反射型の液晶装置である。サブ画素に光透過領域と光反射領域とを有す
る場合、以上に説明した４色の着色領域は、光透過領域及び光反射領域も上述した範囲で
適用できるものである。
【００５９】
上記実施形態では、図４において、ＬＥＤによって光源ユニット２９Ａを形成した。こ
れに代えて、蛍光管、有機ＥＬ（Electro Luminescence）を用いて光源ユニット２９Ａを
形成しても良い。また、図４では、青色ＬＥＤとＹＡＧ蛍光体とによって白色光源を形成
したが、それ以外の構成の白色光源を用いることもできる。
【００６０】
図４の光源ユニット２９Ａは、青色ＬＥＤとＹＡＧ蛍光体とから成る白色光源と、シア
ン色ＬＥＤとを用いて構成した。光源ユニット２９Ａは、その構成に代えて、Ｂ（青）、
Ｇ（緑）、Ｒ（赤）のそれぞれの単独の発光素子を用いて構成することができる。この場
合には、Ｂ（青）は発光した光の波長のピークが４３５〜４８５ｎｍにあるもの、Ｇ（緑
）は発光した波長のピークが５２０〜５４５ｎｍにあるもの、Ｒ（赤）は発光した波長の
ピークが６１０〜６５０ｎｍにあるものとすることができる。この場合、カラーフィルタ
のＢ，Ｇ，Ｒの各着色領域は光源側とほぼ同じ波長部分にピークを有する分光分布を有す
るものを選定することが望ましい。これにより、広範囲の色再現性を得ることができる。
また、波長が例えば、４５０ｎｍと５６５ｎｍにピークを持つような、複数のピークを持
つ光源を用いることができる。
【００６１】
また、カラーフィルタを構成する４色の着色領域の構成例として、次の例が考えられる
。
（１）色相が、赤、青、緑、シアン（青緑）の着色領域。
（２）色相が、赤、青、緑、黄の着色領域。
（３）色相が、赤、青、深緑、黄の着色領域。
（４）色相が、赤、青、エメラルドグリーン、黄緑の着色領域。
（５）色相が、赤、青、エメラルドグリーン、黄の着色領域。
（６）色相が、赤、青、深緑、黄緑の着色領域。
（７）色相が、赤、青緑、深緑、黄緑の着色領域。
【００６２】
（照明装置及び液晶装置の第２実施形態）
図１２は、本発明に係る照明装置及び液晶装置の他の実施形態で用いられる光源部２７
Ｂを示している。本実施形態の光源部２７Ｂ以外の構成は、図１に示した先の実施形態と
同じである。光源部２７Ｂは、可撓性を有するフレキシブル基板２８と、その基板２８上
に設けられた複数の光源ユニット２９Ｂと、単色光源としての赤色ＬＥＤ３２Ｒとを有す
る。赤色ＬＥＤ３２Ｒは、本実施形態では光源ユニット２９Ｂの内部で青色ＬＥＤ３２Ｂ
の隣りに設けたが、これを光源ユニット２９Ｂの外部に別体に設けても良い。光源ユニッ
ト２９Ｂは、発光素子としての青色ＬＥＤ３２Ｂと、ＹＡＧ蛍光体４２とを有する。
【００６３】
青色ＬＥＤ３２Ｂと赤色ＬＥＤ３２Ｒの両方が発光すると、図１３に示すスペクトルの
ように、青の波長部分ＷｂとＹＡＧ蛍光の波長部分Ｗｙにピークを有することに加えて、
ＹＡＧ蛍光の波長部分Ｗｙの谷に相当する波長部分である赤色ＬＥＤ３２Ｒに起因する波
長部分Ｗｒにピークを有する白色光が得られる。なお、赤色ＬＥＤ３２Ｒに起因する波長
部分Ｗｒは、図３に示したカラーフィルタの分光分布特性における赤色の波長部分Ｗｒと
ほぼ一致している。
【００６４】
図１２において青色ＬＥＤ３２ＢとＹＡＧ蛍光体４２とを用いた白色光源の中に赤色Ｌ
ＥＤ３２Ｒを組み込んだ構成の光源ユニット２９Ｂに関して、その色度再現性について考
えれば、この光源ユニット２９Ｂは図８に示すように、青色（色度座標Ａ）と蛍光体の黄
色（色度座標Ｂ）に加えて赤色（色度座標Ｅ）を加えた白色（色度座標Ｃ）を発光する。
この光源ユニット２９Ｂは、座標点（Ａ）、（Ｂ）、（Ｅ）を結んだ三角形の範囲内で色
度を調節することができる。
【００６５】
本実施形態の液晶パネルでは、Ｂ，Ｇ，Ｒ，Ｃの４色のサブ画素Ｄによって１つの表示
画素Ｇが形成されるので、Ｂ，Ｇ，Ｒの３色だけによる表示の場合に比べて、Ｃを加えた
分だけ表示の色度域を広げることができ、表示の色再現性を高めることができる。この場
合、本実施形態では図３に示すようにカラーフィルタのスペクトルにおいて、赤の波長部
分Ｗｒの所にピークが存在する。仮に、図１２に示す光源部２７Ｂの光源ユニット２９Ｂ
を、赤色ＬＥＤ３２Ｒを用いることなく、青色ＬＥＤ３２ＢとＹＡＧ蛍光体４２とから成
る白色光源によって構成すれば、図３の赤部分Ｗｒに対して十分な光を供給することがで
きず、液晶装置の表示として赤色が暗くなるという問題が発生する。
【００６６】
これに対し、図１２に示すように、青色ＬＥＤ３２ＢとＹＡＧ蛍光体４２とから成る光
源に赤色ＬＥＤ３２Ｒを加えた本実施形態の光源ユニット２９Ａを用いた場合には、図１
３において、２つのピークＷｂ及びＷｙのうちの一方のピークＷｙの谷に相当する波長部
分である赤の波長部分Ｗｒで発光強度を高めることができるので、図３のスペクトルに対
して赤色Ｗｒの輝度を向上でき、色の再現性を改善できる。また、光がブロードでなくシ
ャープであるので色純度も改善され、色度域も広がる。
【００６７】
本実施形態でも、図１２において、赤色ＬＥＤ３２Ｒを光源ユニット２９Ｂの内部に追
加したが、赤色ＬＥＤ３２Ｒは、青色ＬＥＤ３２ＢとＹＡＧ蛍光体４２とによって構成さ
れる白色光源ユニット２９Ｂの外部に別体に設けても良い。しかしがながら、赤色ＬＥＤ
３２Ｒを青色ＬＥＤ３２Ｂと共に光源ユニット２９Ｂの内部に一体に設けることにすれば
、各ＬＥＤからの発光の混光を促進する上で好ましい。
【００６８】
（照明装置及び液晶装置の第３実施形態）
図１４は、本発明に係る照明装置及び液晶装置のさらに他の実施形態を示している。図
１及び図４を用いて説明した先の実施形態及び図１及び図１２を用いて説明した先の実施
形態では、図２に示したように、光源部２７Ａ及び２７Ｂが導光体２６の側面に設けられ
る形式の照明装置、いわゆるサイドライト方式の照明装置を用いた。これに対し、図１４
に示す本実施形態の液晶装置５１は、被照明体である液晶パネル５２のほぼ全面に対向し
て光源部が設けられる形式の照明装置、いわゆる平面ライト方式の又は直下型の照明装置
を用いている。
【００６９】
本実施形態の照明装置５３は、光反射板５４と、光源部５７と、光散乱板５５と、第１
の集光板５６ａと、第２の集光板５６ｂとを有する。光反射板５４、光源部５７、光散乱
板５５、集光板５６ａ、集光板５６ｂの各要素は、図１５に示すように、筐体５９に互い
に重ねて収納される。そして、集光板５６ｂの上に液晶パネル５２が設けられる。液晶パ
ネル５２としては、例えば、図１及び図２に示した液晶パネル２が用いられる。
【００７０】
光源部５７は、図１６（ａ）に示す短冊状すなわち単列の光源ユニット６３を面内に複
数個、平行に並べることによって形成されている。個々の単列の光源ユニット６３は、フ
レキシブル基板５８と、その基板５８上に設けられた複数の発光要素６２とを有する。複
数の発光要素６２は、個々のフレキシブル基板５８上で直線の列状に並べられており、複
数のフレキシブル基板５８を平行に並べたときに縦方向及び横方向へマトリクス状に並べ
られる。発光要素６２としては、光源ユニットとしての白色光源６２Ｗと、単色光源とし
てのシアン色ＬＥＤ６２Ｃの２種類が用いられている。白色光源６２Ｗは、図１７（ａ）
及び図１７（ｂ）に示すように、青色ＬＥＤ３２ＢとＹＡＧ蛍光体４２とを有する白色光
源となっている。図１７（ａ）及び図１７（ｂ）において図５と同じ符号は同じ部材を示
している。
【００７１】
白色光源６２Ｗのスペクトルは、例えば、図６に示す特性とされる。また、シアン色Ｌ
ＥＤ６２Ｃは、そのスペクトルが、例えば、図７に示すようにシアンの波長部分Ｗｃにピ
ークを有するものが用いられる。このシアンの波長部分Ｗｃは、本実施形態で用いるカラ
ーフィルタにおいてシアンの着色膜２１Ｃが有するスペクトルピーク波長とほぼ同じであ
る。白色光源６２Ｗは、出射光がスペクトル上で２つのピークを持つ光源ユニットである
。また、シアン色ＬＥＤ６２Ｃは、それらの２つのピークの少なくとも一方の谷に相当す
る波長部分にピークを持つ単色光源である。
【００７２】
複数個の白色光源６２Ｗと複数個のシアン色ＬＥＤ６２Ｃとの配列の仕方に関しては、
例えば、図１６（ａ）の例では、白色光源６２Ｗとシアン色ＬＥＤ６２Ｃとが行方向Ｘに
１つずつ交互に並び、単色光源であるシアン色ＬＥＤ６２Ｃは行方向Ｘ及び列方向Ｙの両
方向で互いに隣り同士に並ばない配列状態である。複数の単色光源を互いに隣り同士に並
ばないように配列すれば、複数の単色光源が互いに隣り同士に並ぶ場合に比べて、光源ユ
ニットから出射される白色光と単色光源から出射されるシアン色光との混光をより一層促
進できる。
【００７３】
本実施形態の液晶装置５１においては、表示を行う際、例えば図１１（ｂ）に示すよう
に白色光源６２Ｗとシアン色ＬＥＤ６２Ｃとが１フレーム期間中の所定期間だけパルス幅
制御によって発光する。これにより、図１４の照明装置５３から面状の光が液晶パネル５
２へ直接に照射される。本実施形態の場合、Ｂ，Ｇ，Ｒ，Ｃの４色の着色膜２１（図１参
照）を有するカラーフィルタのスペクトルは図３に示すようにＢ，Ｇ，Ｒのそれぞれの波
長部分Ｗｂ，Ｗｇ，Ｗｒにピークを有する以外にシアンに対応する波長部分Ｗｃにもピー
クを有している。このカラーフィルタに対して従来のような図６に示すスペクトル、すな
わちＷｂとＷｙの２つのピークしか持たない白色光源によって照明光を供給することにす
れば、図３のシアン色部分Ｗｃが暗くなって良好な表示品質が得られないおそれがある。
これに対し、図１６（ａ）において白色光源６２Ｗに加えて単色光源であるシアン色ＬＥ
Ｄ６２Ｃを設けることにより、図７に示すように２つのピークＷｂ及びＷｙの谷に相当す
る波長部分であるＷｃにピークを有する光を形成して、その光をカラーフィルタへ供給す
ることにすれば、シアン色部分の輝度を向上でき、そのため、実質的な光透過率を向上さ
せることができる。
【００７４】
（変形例）
図１６（ａ）に示した例では、白色光源６２Ｗとシアン色ＬＥＤ６２Ｃとを行方向Ｘで
１つずつ交互に並べ、且つ列方向Ｙではシアン色ＬＥＤ６２Ｃが隣り合わないようにした
。この配列態様に代えて、図１６（ｂ）に示す配列態様を採用することもできる。この配
列態様では、行方向Ｘに沿って、１個のシアン色ＬＥＤ６２Ｃに対して白色光源６２Ｗを
２個設けている。また、列方向Ｙに関しては、シアン色ＬＥＤ６２Ｃが互いに隣り合わな
いように配列されている。白色光源６２Ｗ及びシアン色ＬＥＤ６２Ｃの両方が発光すると
、図１６（ｃ）に示すように、各素子６２Ｗ，６２Ｃから所定の角度範囲で光が広がった
状態で出射され、適宜の距離だけ進行した後にＹＡＧ蛍光光とシアン色光との間で混光が
生じて白色光が形成される。なお、図１６（ａ）及び図１６（ｂ）において、混光の程度
を高めるために、複数の単列の光源ユニット６３内における白色光源６２Ｗとシアン色Ｌ
ＥＤ６２Ｃの配置の順番を変えても良い。
【００７５】
（電子機器の実施形態）
次に、本発明に係る電子機器の実施形態を説明する。図１８は電子機器の一実施形態の
ブロック図を示している。ここに示す電子機器は、液晶装置１と、制御回路７０とを有す
る。液晶装置１は図１及び図２に示した液晶装置１と同じ構成の液晶装置であり、液晶パ
ネル２と照明装置３とを有している。
【００７６】
制御回路７０は、表示画像出力源７１と、表示画像変換回路７２と、タイミングジェネ
レータ７３とを有する。液晶装置１において、入力されたＢ，Ｇ，Ｒの各色の画像信号が
Ｂ，Ｇ，Ｒ，Ｃの各色の画像信号に変換される場合、表示画像変換回路７２は、表示画像
出力源７１から出力されたＢ，Ｇ，Ｒの各色の画像信号を、Ｂ，Ｇ，Ｒ，Ｃの各色の画像
信号に変換して、液晶パネル２へ出力する機能を有する。
【００７７】
表示画像変換回路７２は、ＣＰＵ（Central Processing Unit）等といった演算処理部
７２ａと、ＲＡＭ（Random Access Memory）等といった記憶部７２ｂとを有する。演算処
理部７２ａは、表示画像出力源７１から出力された入力画像のＢ，Ｇ，Ｒの各色の画像信
号を、Ｂ，Ｇ，Ｒ，Ｃの各色の画像信号に変換する。記憶部７２ｂには、所定の強度のＢ
，Ｇ，Ｒの各色の画像信号と、これに対応する強度のＢ，Ｇ，Ｒ，Ｃの各色の画像信号と
を対応させたＬＵＴ（Look Up Table）が格納されている。
【００７８】
例えば、演算処理部７２ａに、シアンＣの色のみを表示させるＢ，Ｇ，Ｒの各色の画像
信号、例えばＢ＝１００、Ｇ＝１００、Ｒ＝０の強度のＢ，Ｇ，Ｒの各色の画像信号が入
力された場合、演算処理部７２ａは、このＢ，Ｇ，Ｒの各色の画像信号の強度に対応する
強度のＢ，Ｇ，Ｒ，Ｃの各色の画像信号（たとえば、Ｂ＝１０、Ｇ＝１０、Ｒ＝０、Ｃ＝
１００）を、記憶部７２ｂのＬＵＴから取得し、取得したＢ，Ｇ，Ｒの各色の画像信号を
液晶パネル２へ出力する。これにより、液晶パネル２の表示画面に、Ｂ，Ｇ，Ｒの各色に
加えてＣの色を表示できる。これにより、入力画像の画像信号として、Ｂ，Ｇ，Ｒの画像
信号が入力された場合においても、出力画像の色再現範囲をシアン系色の色再現範囲まで
拡大できる。
【００７９】
タイミングジェネレータ７３は、タイミングモードを切り替えるためのハードスイッチ
又はソフトスイッチを有し、画像信号の輝度信号からクロック信号ＣＬＫを生成する。図
９のＬＥＤ駆動回路４７，４８は、タイミングジェネレータ７３によって決定されたクロ
ック信号ＣＬＫに適合するように、駆動シーケンスが制御される。
【００８０】
図１９は、本発明に係る電子機器の他の一実施形態であるパーソナルコンピュータを示
している。このパーソナルコンピュータ８０は、表示装置として機能する液晶装置８１と
、本体部８２とを有する。本体部８２にはキーボード８３が設けられている。液晶装置８
１は、図１に示した液晶装置１や、図１４に示した液晶装置５１とすることができる。明
るい表示を希望する場合には、図１に示すサイドライト方式の液晶装置１よりも、図１４
に示す平面ライト方式の液晶装置５１を用いることが望ましい。
【００８１】
図２０は、本発明に係る電子機器の他の実施形態である携帯電話機を示している。ここ
に示す携帯電話機９０は、本体部９２と、これに開閉可能に設けられた表示体部９３とを
有する。表示体部９３には、液晶装置９１が表示装置として設けられている。液晶装置９
１は、図１に示した液晶装置１や、図１４に示した液晶装置５１とすることができる。携
帯電話機９０を小型にしたい場合には、図１４に示す平面ライト方式の液晶装置５１より
も、図１に示すサイドライト方式の液晶装置１を用いることが望ましい。
【００８２】
本体部９２には操作ボタン９４及び送話部９５が設けられている。送話部９５の内部に
は、図示しないマイクが内蔵されている。表示体部９３の一部にはアンテナ９６が伸縮自
在に取り付けられている。表示体部９３の上部に設けられた受話部９７の内部には、図示
しないスピーカが配置される。液晶装置９１の動作を制御するための制御部は、携帯電話
機全体の制御を司る制御部の一部として、又はその制御部とは別に、本体部９２又は表示
体部９３の内部に格納されている。
【００８３】
本発明に係る液晶装置１（図１参照）、液晶装置５１（図１４参照）等によれば、広い
色度域を持った表示を行うことができるので、それらの液晶装置を用いて構成された上記
の各電子機器においても、広い色度域を持った表示を行うことができる。
【００８４】
（変形例）
本発明は、図１９に示すパーソナルコンピュータや図２０に示す携帯電話機以外の他の
電子機器に適用できる。例えば、本発明は、液晶テレビ、ビューファインダ型又はモニタ
直視型のビデオテープレコーダ、カーナビゲーション装置、ページャ、電子手帳、電卓、
ワードプロセッサ、ワークステーション、テレビ電話、ＰＯＳ端末、デジタルスチルカメ
ラ等といった各種の電子機器に適用できる。
【図面の簡単な説明】
【００８５】
【図１】本発明に係る液晶装置及び照明装置のそれぞれについての一実施形態の平面図である。
【図２】図１に示す液晶装置及び照明装置の側面断面図である。
【図３】図１の液晶装置で用いるカラーフィルタのスペクトルを示す図である。
【図４】図１の照明装置で用いる光源部の一例を示す斜視図である。
【図５】図４の光源部で用いる光源ユニットの側面断面図である。
【図６】青色ＬＥＤとＹＡＧ蛍光体とによって構成される白色光源のスペクトルを示す図である。
【図７】図５に示す光源ユニットの発光スペクトルを示す図である。
【図８】図５に示す光源ユニットの発光の色度図である。
【図９】図１に示す照明装置で用いられる駆動回路の一例を示す回路図である。
【図１０】図９に示す駆動回路の要部を示す回路図である。
【図１１】図９の駆動回路で用いる駆動用パルスの２つの例を示す図である。
【図１２】本発明に係る液晶装置及び照明装置のそれぞれについての他の実施形態で用いる光源部を示す斜視図である。
【図１３】図１２に示す光源ユニットの発光スペクトルを示す図である。
【図１４】本発明に係る液晶装置及び照明装置のそれぞれについてのさらに他の実施形態の平面図である。
【図１５】図１４の実施形態の分解側面図である。
【図１６】（ａ）は図１４の照明装置の要部の一例を示す平面図であり、（ｂ）は図１４の照明装置の要部の他の一例を示す平面図であり、（ｃ）は（ｂ）の側面図である。
【図１７】図１４の照明装置で用いる白色光源の一例を示す図であって、（ａ）は斜視図、（ｂ）は側面断面図である。
【図１８】本発明に係る電子機器の一実施形態のブロック図である。
【図１９】本発明に係る電子機器の他の実施形態であるパーソナルコンピュータの斜視図である。
【図２０】本発明に係る電子機器のさらに他の実施形態である携帯電話機の斜視図である。
【符号の説明】
【００８６】
１，５１．液晶装置、  ２，５２．液晶パネル、  ３，５３．照明装置、
４．素子基板、  ４ａ．透光性基板、  ５．カラーフィルタ基板、  ５ａ．透光性基板、
７．シール材、  ８．液晶層、  ９ａ，９ｂ．偏光板、  １１．ソース線、
１２．ゲート線、  ２ａ．引回し配線、  １３．ＴＦＴ素子、  １４．画素電極、
１５．張出し部、  １６．外部接続用端子、  １７．駆動用ＩＣ、  １８．ＦＰＣ基板、
２１．着色膜、  ２２．オーバーコート膜、  ２３．共通電極、  ２４．配線、
２６．導光体、  ２７Ａ，２７Ｂ，５７．光源部、  ２８，５８．フレキシブル基板、
２９Ａ，２９Ｂ．光源ユニット、  ３１．絶縁基板、
３２Ｂ．青色ＬＥＤ（発光素子）、  ３２Ｃ．シアン色ＬＥＤ（単色光源）、
３３，３４．電極、  ３６．アノード、  ３７ａ，３７ｂ．ワイヤ、  ３８．カソード、
３９．絶縁体、  ４１．透明樹脂、  ４２．ＹＡＧ系蛍光体、  ４４．駆動回路、
４９．パルス電圧発生回路、  ５４．光反射板、  ５５．光散乱板、
５６ａ，５６ｂ．集光板、  ５９．筐体、  ６２．発光要素、  ６２Ｗ．白色光源、
６２Ｃ．シアン色ＬＥＤ、  ６３．単列の光源ユニット、  ７０．制御回路、
８０．パーソナルコンピュータ（電子機器）、  ８１．液晶装置、
９０．携帯電話機（電子機器）、  ９１．液晶装置、  Ｃ．隅の領域、  Ｄ．サブ画素、
Ｆ．額縁領域、  Ｇ．表示画素、  Ｒ０．電流制限抵抗、  Ｖ．表示領域
【図１】
2007287385.tif 000003
【図２】
2007287385.tif 000004
【図３】
2007287385.tif 000005
【図４】
2007287385.tif 000006
【図５】
2007287385.tif 000007
【図６】
2007287385.tif 000008
【図７】
2007287385.tif 000009
【図８】
2007287385.tif 000010
【図９】
2007287385.tif 000011
【図１０】
2007287385.tif 000012
【図１１】
2007287385.tif 000013
【図１２】
2007287385.tif 000014
【図１３】
2007287385.tif 000015
【図１４】
2007287385.tif 000016
【図１５】
2007287385.tif 000017
【図１６】
2007287385.tif 000018
【図１７】
2007287385.tif 000019
【図１８】
2007287385.tif 000020
【図１９】
2007287385.tif 000021
【図２０】
2007287385.tif 000022